【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
ワイヤレスデバイスによって実施される、ワイヤレス通信の方法であって、
前記ワイヤレスデバイスと通信する第1のデバイスから、単帯域同時モードの間に、前記ワイヤレスデバイスの第1の送受信機チェーンを介して第1のデータ信号を受信するステップと、
前記第1のデバイスから前記第1の送受信機チェーンを介して前記第1のデータ信号を受信しながら、同時に、前記ワイヤレスデバイスの第2の送受信機チェーンを介した第2のデバイスへの第2のデータ信号の送信を開始するステップであって、前記第1の送受信機チェーンおよび前記第2の送受信機チェーンのそれぞれが送受信することができる、ステップと、
前記第2の送受信機チェーンを介した前記第2のデバイスへの前記第2のデータ信号の前記送信を開始することを検出するステップと、
前記第2の送受信機チェーンを介した前記第2のデバイスへの前記第2のデータ信号の前記送信を開始することを検出するのに応答して、前記第1の送受信機チェーンの1つまたは複数のトラッキングループの更新を一時停止するステップであって、前記1つまたは複数のトラッキングループが、前記受信された第1のデータ信号からデータを回復するものである、ステップと
を含む方法。
【請求項２】
前記1つまたは複数のトラッキングループの前記更新が、前記第2のデータ信号を前記第2の送受信機チェーンから送信する前に一時停止される、請求項1に記載の方法。
【請求項３】
前記1つまたは複数のトラッキングループの前記更新が、前記受信された第1のデータ信号に少なくとも部分的に基づく、請求項1に記載の方法。
【請求項４】
前記1つまたは複数のトラッキングループが、遅延ロックループ(DLL)および位相ロックループ(PLL)を含むグループからの少なくとも1つを含む、請求項1に記載の方法。
【請求項５】
前記第2のデータ信号の前記送信の完了後に前記第1の送受信機チェーンの前記1つまたは複数のトラッキングループの更新を再開するステップをさらに含む、請求項1に記載の方法。
【請求項６】
前記第1のデータ信号が周波数帯域の第1のワイヤレスチャネル上で受信され、前記第2のデータ信号が前記周波数帯域の第2のワイヤレスチャネル上で送信され、前記第1のワイヤレスチャネルが前記第2のワイヤレスチャネルとは異なる、請求項1に記載の方法。
【請求項７】
前記第1のデータ信号が第1のワイヤレスプロトコルに従って受信され、前記第2のデータ信号が、前記第1のワイヤレスプロトコルとは異なる第2のワイヤレスプロトコルに従って送信される、請求項1に記載の方法。
【請求項８】
前記第1のデータ信号が前記第1のデバイスから受信され、前記第2のデータ信号が前記第2のデバイスに送信される、請求項1に記載の方法。
【請求項９】
送受信することができる第1の送受信機チェーンと、
送受信することができる第2の送受信機チェーンと、
1つまたは複数のプロセッサと、
命令を記憶したメモリと
を備えるワイヤレス通信デバイスであって、前記命令が、前記1つまたは複数のプロセッサによって実行されたとき、前記ワイヤレス通信デバイスに、
前記ワイヤレス通信デバイスと通信する第1のデバイスから、単帯域同時モードの間に、前記第1の送受信機チェーンを介して第1のデータ信号を受信することと、
前記第1のデバイスから前記第1の送受信機チェーンを介して前記第1のデータ信号を受信しながら、同時に、前記第2の送受信機チェーンを介した第2のデバイスへの第2のデータ信号の送信を開始することと、
前記第2の送受信機チェーンを介した前記第2のデバイスへの前記第2のデータ信号の前記送信を開始することを検出することと、
前記第2の送受信機チェーンを介した前記第2のデバイスへの前記第2のデータ信号の前記送信を開始することを検出するのに応答して、前記第1の送受信機チェーンの1つまたは複数のトラッキングループの更新を一時停止することであって、前記1つまたは複数のトラッキングループが、前記受信された第1のデータ信号からデータを回復するものである、一時停止することと
を行わせる、ワイヤレス通信デバイス。
【請求項１０】
前記1つまたは複数のトラッキングループの前記更新が、前記第2のデータ信号を前記第2の送受信機チェーンから送信する前に一時停止される、請求項9に記載のワイヤレス通信デバイス。
【請求項１１】
前記1つまたは複数のトラッキングループの前記更新が、前記受信された第1のデータ信号に少なくとも部分的に基づく、請求項9に記載のワイヤレス通信デバイス。
【請求項１２】
前記1つまたは複数のトラッキングループが、遅延ロックループ(DLL)および位相ロックループ(PLL)を含むグループからの少なくとも1つを含む、請求項9に記載のワイヤレス通信デバイス。
【請求項１３】
前記命令の実行がさらに、前記ワイヤレス通信デバイスに、
前記第2のデータ信号の前記送信の完了後に前記第1の送受信機チェーンの前記1つまたは複数のトラッキングループの更新を再開することを行わせる、請求項9に記載のワイヤレス通信デバイス。
【請求項１４】
前記第1のデータ信号が周波数帯域の第1のワイヤレスチャネル上で受信され、前記第2のデータ信号が前記周波数帯域の第2のワイヤレスチャネル上で送信され、前記第1のワイヤレスチャネルが前記第2のワイヤレスチャネルとは異なる、請求項9に記載のワイヤレス通信デバイス。
【請求項１５】
前記第1の送受信機チェーンが第1の集積回路(IC)ダイ上にあり、前記第2の送受信機チェーンが、前記第1のICダイとは異なる第2のICダイ上にある、請求項9に記載のワイヤレス通信デバイス。
【請求項１６】
プログラム命令を含む非一時的なコンピュータ可読記憶媒体であって、前記プログラム命令が、ワイヤレス通信デバイスのプロセッサによって実行されたとき、前記ワイヤレス通信デバイスに、
前記ワイヤレス通信デバイスと通信する第1のデバイスから、単帯域同時モードの間に、前記ワイヤレス通信デバイスの第1の送受信機チェーンを介して第1のデータ信号を受信することと、
前記第1のデバイスから前記第1の送受信機チェーンを介して前記第1のデータ信号を受信しながら、同時に、前記ワイヤレス通信デバイスの第2の送受信機チェーンを介した第2のデバイスへの第2のデータ信号の送信を開始することであって、前記第1の送受信機チェーンおよび前記第2の送受信機チェーンのそれぞれが送受信することができる、開始することと、
前記第2の送受信機チェーンを介した前記第2のデバイスへの前記第2のデータ信号の前記送信を開始することを検出することと、
前記第2の送受信機チェーンを介した前記第2のデバイスへの前記第2のデータ信号の前記送信を開始することを検出するのに応答して、前記第1の送受信機チェーンの1つまたは複数のトラッキングループの更新を一時停止することであって、前記1つまたは複数のトラッキングループが、前記受信された第1のデータ信号からデータを回復するものである、一時停止することと
を行わせる、非一時的なコンピュータ可読記憶媒体。
【請求項１７】
前記1つまたは複数のトラッキングループの前記更新が、前記第2のデータ信号を前記第2の送受信機チェーンから送信する前に一時停止される、請求項16に記載の非一時的なコンピュータ可読記憶媒体。
【請求項１８】
前記1つまたは複数のトラッキングループの前記更新が、前記受信された第1のデータ信号に少なくとも部分的に基づく、請求項16に記載の非一時的なコンピュータ可読記憶媒体。
【請求項１９】
前記1つまたは複数のトラッキングループが、遅延ロックループ(DLL)および位相ロックループ(PLL)を含むグループからの少なくとも1つを含む、請求項16に記載の非一時的なコンピュータ可読記憶媒体。
【請求項２０】
前記プログラム命令の実行が、前記ワイヤレス通信デバイスに、
前記第2のデータ信号の前記送信の完了後に前記第1の送受信機チェーンの前記1つまたは複数のトラッキングループの更新を再開することを行わせる、請求項16に記載の非一時的なコンピュータ可読記憶媒体。
【請求項２１】
前記第1のデータ信号が周波数帯域の第1のワイヤレスチャネル上で受信され、前記第2のデータ信号が前記周波数帯域の第2のワイヤレスチャネル上で送信され、前記第1のワイヤレスチャネルが前記第2のワイヤレスチャネルとは異なる、請求項16に記載の非一時的なコンピュータ可読記憶媒体。
【請求項２２】
前記第1のデータ信号が第1のワイヤレスプロトコルに従って受信され、前記第2のデータ信号が、前記第1のワイヤレスプロトコルとは異なる第2のワイヤレスプロトコルに従って送信される、請求項16に記載の非一時的なコンピュータ可読記憶媒体。
【請求項２３】
ワイヤレス通信デバイスであって、
前記ワイヤレス通信デバイスと通信する第1のデバイスから、単帯域同時モードの間に、ワイヤレス通信デバイスの第1の送受信機チェーンを介して第1のデータ信号を受信するための手段と、
前記第1のデバイスから前記第1の送受信機チェーンを介して前記第1のデータ信号を受信しながら、同時に、前記ワイヤレス通信デバイスの第2の送受信機チェーンを介した第2のデバイスへの第2のデータ信号の送信を開始するための手段であって、前記第1の送受信機チェーンおよび前記第2の送受信機チェーンのそれぞれが送受信することができる、手段と、
前記第2の送受信機チェーンを介した前記第2のデバイスへの前記第2のデータ信号の前記送信を開始することを検出するための手段と、
前記第2の送受信機チェーンを介した前記第2のデバイスへの前記第2のデータ信号の前記送信を開始することを検出するのに応答して、前記第1の送受信機チェーンの1つまたは複数のトラッキングループの更新を一時停止するための手段であって、前記1つまたは複数のトラッキングループが、前記受信された第1のデータ信号からデータを回復するものである、手段と
を備えるワイヤレス通信デバイス。
【請求項２４】
前記1つまたは複数のトラッキングループの前記更新が、前記第2のデータ信号を前記第2の送受信機チェーンから送信する前に一時停止される、請求項23に記載のワイヤレス通信デバイス。
【請求項２５】
前記1つまたは複数のトラッキングループの前記更新が、前記受信された第1のデータ信号に少なくとも部分的に基づく、請求項23に記載のワイヤレス通信デバイス。
【請求項２６】
前記1つまたは複数のトラッキングループが、遅延ロックループ(DLL)および位相ロックループ(PLL)を含むグループからの少なくとも1つを含む、請求項23に記載のワイヤレス通信デバイス。
【請求項２７】
前記第2のデータ信号の前記送信を完了した後で前記第1の送受信機チェーンの前記1つまたは複数のトラッキングループの更新を再開するための手段をさらに備える、請求項23に記載のワイヤレス通信デバイス。